(57)【特許請求の範囲】
【請求項１】
ブロック本体と、このブロック本体に設ける防護ネットとを備えた海藻用ブロックであって、前記ブロック本体の側面に前記防護ネットの柔軟性を有するネット本体を巻き付け、このネット本体の上部には縦方向の分離部を巻き付け方向に間隔を置いて複数設けると共に、隣り合う分離部間に揺動部を設けたことを特徴とする海藻用ブロック。
【請求項２】
前記ネット本体の高さ方向の略中央を前記ブロック本体の側面に取り付け、前記ネット本体の下縁を前記ブロック本体に非固定状態で配置したことを特徴とする請求項１記載の海藻用ブロック。
【請求項３】
前記ネット本体の高さ方向の略中央に線状材を設け、この線状材をブロック本体に固定して前記ネット本体を取り付けたことを特徴とする請求項２記載の海藻用ブロック。
【請求項４】
前記ネット本体は比重が海水より軽い合成樹脂からなり、前記ネット本体の網目は、高さ方向に長い略菱形形状をなすことを特徴とする請求項３記載の海藻用ブロック。
【請求項５】
ネット本体と、このネット本体を固定する固定手段とを備え、海底生物から海藻を護る防護ネットであって、前記ネット本体の上部には縦方向の分離部を間隔を置いて複数設けると共に、隣り合う分離部間に揺動部を設けたことを特徴とする防護ネット。
【発明の詳細な説明】
【技術分野】
【０００１】
本発明は、海藻用ブロックと防護ネットに係り、特にウニや巻貝などの海底生物から海藻を護ることができる海藻用ブロックと防護ネットに関する。
【背景技術】
【０００２】
従来、この種のものとして、海底において成育する海底生物を保護するための保護領域内に、海底を移動して該海底生物を捕食する海底棲息動物が侵入するのを阻止するための防護フェンスであって、上記保護領域の周囲全体を包囲して立設されるフェンス本体と、該フェンス本体の上部に沿って設けられ、上記海底棲息動物が該防護フェンスを乗り越えるのを防止するための乗越え防止体とを有し、該乗越え防止体が、フェンス本体と所定の角度をなして上記保護領域の外方に向って延びる庇状に形成されている防護フェンス（例えば特許文献１）が提案されているが、このような防護フェンスは波浪によっての破損、流失し易く、また、錆などによる耐久性の問題もある。
【０００３】
これに対して、人工海藻本体と、チェンから構成され、人工海藻本体は、植え付け用のロープに、当該植え付け用のロープの長手方向に所定間隔をもって葉体が取付けられ、葉体は短冊状の帯状体と、この帯状体の両辺に形成されたちぢれたヒダなどのウニ類などの行動を阻害する形状部から構成され、植え付け用のロープにはチェンが添着され、チェンは、チェン単体と、このチェン単体の側面に所定間隔をもって水平方向に外方に向け突設されているリング状の転倒防止脚から構成され、任意の一定区画を囲むように人工海藻１あるいは人工海藻１１を配設して区画を形成され、人工海藻はウニの行動生態のうち、大型海藻類がウネリなどで揺れ動いてウニの体にぶつかることを嫌う習性を利用した人工海藻（例えば特許文献２）や、網地を引っ張り、当該網地における網目がよこ目方向に網目を失った状態にした棒網を１本、あるいは当該棒網を適数本束ねた棒網群に、当該棒網あるいは棒網群の長さより一定寸法短いチェーンを添着して、棒網あるいは棒網群とチェーンをひもで結束する際、棒網あるいは棒網群の長さとチェーンの長さの差である内割縮結が形成され、任意の一定区画を囲むように配置したウニ・アワビ・ツブの行動制御用装置（例えば特許文献３）が提案されている。
【先行技術文献】
【特許文献】
【０００４】
【特許文献１】特開２００７−１４３０５号公報
【特許文献２】特開平１０−４８１７号公報
【特許文献３】特開平１０−４８０８号公報
【発明の概要】
【発明が解決しようとする課題】
【０００５】
上記特許文献２の人工海藻や特許文献３の制御用装置では、任意の一定区画を囲むように配置することによりウニなどの出入りを防止することができるが、これらをそのままブロックに適用することは難しく、また、従来のものは、上記人工海藻のように葉体，植え付け用のロープ，チェン単体やリング状の転倒防止脚などの複数の部材を必要とし、構造が複雑であると共に、コストが掛かる問題がある。
【０００６】
そこで、本発明は上記した問題点に鑑み、構造簡易で、ウニなどから海藻を護ることができる海藻用ブロックと防護ネットを提供することを目的とする。
【課題を解決するための手段】
【０００７】
請求項１に係る発明は、ブロック本体と、このブロック本体の外面に設ける防護ネットとを備えた海藻用ブロックであって、前記ブロック本体の側面に前記防護ネットの柔軟性を有するネット本体を巻き付け、このネット本体の上部には縦方向の分離部を巻き付け方向に間隔を置いて複数設けると共に、隣り合う分離部間に揺動部を設けたことを特徴とする。
【０００８】
また、請求項２に係る発明は、前記ネット本体の高さ方向の略中央を前記ブロック本体の側面に取り付け、前記ネット本体の下縁を前記ブロック本体に非固定状態で配置したことを特徴とする。
【０００９】
また、請求項３に係る発明は、前記ネット本体の高さ方向の略中央に線状材を設け、この線状材をブロック本体に固定して前記ネット本体を取り付けたことを特徴とする。
【００１０】
また、請求項４に係る発明は、前記ネット本体は比重が海水より軽い合成樹脂からなり、前記ネット本体の網目は、高さ方向に長い略菱形形状をなすことを特徴とする。
また、請求項５に係る発明は、ネット本体と、このネット本体を固定する固定手段とを備え、海底生物から海藻を護る防護ネットであって、前記ネット本体の上部には縦方向の分離部を間隔を置いて複数設けると共に、隣り合う分離部間に揺動部を設けたことを特徴とする。
【発明の効果】
【００１１】
請求項１の構成によれば、海中で揺動部が揺動することにより、ウニなどの海底生物が揺動部に近付かず、ブロック本体に付着する揺動部上方の海藻が海底生物に食べられて被害を受けることがない。また、ネット本体を加工してブロック本体に取り付けるだけであるから、構造簡易にして安価なものとなる。
【００１２】
また、請求項２の構成によれば、ネット本体の下縁側もブロック本体の側面から離れて揺動するから、一層、海底生物が近付き難くなる。
【００１３】
また、請求項３の構成によれば、線状材によりネット本体を簡便に取り付けることができ、線状材によりネット本体の高さ方向の略中央をブロック本体に固定することにより、上縁及び下縁がそれぞれ非固定状態でネット本体を固定することができる。また、仮にネット本体の下縁とブロック本体の側面との間を海底生物が登ってきても、線状材により上方への移動が規制される。
【００１４】
また、請求項４の構成によれば、海水より比重が軽いから揺動し易く、ネット本体が横方向に広がるため、揺動部の間に隙間が発生し難く、また、ネット本体の下縁とブロック本体の側面との間に隙間が発生し易くなる。
また、請求項５の構成によれば、海中で揺動部が揺動することにより、ウニなどの海底生物が揺動部に近付かず、揺動部上方の海藻が海底生物に食べられて被害を受けることがない。また、ネット本体を加工するだけであるから、構造簡易にして安価なものとなる。
【図面の簡単な説明】
【００１５】
【図１】本発明の実施例１を示す海藻用ブロックの斜視図である。
【図２】同上、ブロック本体の斜視図である。
【図３】同上、ブロック本体の平面図である。
【図４】同上、海藻用ブロックの要部の断面図である。
【図５】同上、ネット本体の網目の正面説明図である。
【発明を実施するための形態】
【００１６】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる海藻用ブロックを採用することにより、従来にない海藻用ブロックが得られ、その海藻用ブロックを夫々記述する。
【００１７】
海底生物の一例であるウニは、稚ウニの段階では海藻類やデトリタスを摂餌視ながら成長する。ウニは棘により移動や防御の役割を果たすが、その棘は基部と結合組織と筋肉で結ばれており、その筋肉によって棘を振り回すような運動が可能となる。また、棘の間（間歩帯）には先端が吸盤状になった叉棘がある。管足は移動する役目を果たし、叉棘は体表の掃除や滴に対する防御の役割を果たす（ラッパウニでは叉棘に毒腺がある）。
【００１８】
最近の研究では棘に視覚機能が認識されており、棘に当たる光線を感知して、その光の強度を比較して周囲の状況を知ることができると言われている。
【００１９】
また、ウニの生態研究によると、ヒラヒラ漂うものに嫌気性を示すことが知られており、本発明はこの効果を最大限に引き出すものである。
【実施例１】
【００２０】
以下、本発明の海藻用ブロックを添付図面を参照して説明する。図１〜図５は、本発明の実施例１を示し、同図に示すように、一例として、海藻用ブロックのブロック本体１ははコンクリート製からなり、そのブロック本体１の中央部２から四方に突出する脚部３，３，３，３を備え、ブロック本体１の下面中央には凹部４を形成し、この凹部４の外側が前記脚部３，３，３，３の接地部たる接地面３Ａ，３Ａ，３Ａ，３Ａになっている。したがって、このブロック本体１を載置した場合、前記凹部４により前記載置面とブロック本体１の下面と間に隙間が形成され、ここを水が通過可能となるから、水量による前記載置面の侵食を抑制できる。尚、前記中央部２の上面に設けられた吊下げ用の係止部（図示せず）が設けられ、この係止部は逆Ｕ字状のフックからなる。
【００２１】
ブロック本体１の脚部３の両側部には、外側に向かって突出する突出部５，５が形成され、この突出部５は先端に向かって幅狭になり、その先端に平坦な脚側面６が形成されている。この例のブロック本体１では、前記脚部３の先端に先端側面６Ａを有し、この先端側面６Ａと前記側面６とが斜め側面６Ｂにより連結されている。尚、脚部３において左右の斜め側面６Ｂ，６Ｂの間隔は先端側面６Ａに向かって狭まっていく。そして、ブロック本体１は、側面として脚側面６，先端側面６Ａ及び斜め側面６Ｂを有し、これらは何れも平坦面状をなす。
【００２２】
また、ブロック本体１の上面７には、海藻育成部たる樹脂繊維からなる海藻用マット８を設け、この海藻用マット８にツルアラメ母藻などの根を付着させて海藻Ｋを着床されることができる。
【００２３】
防護ネット11は、ネット本体12と、このネット本体12を前記ブロック本体１の側面６に固定する固定手段13とを備える。また、この例では、前記固定手段13は、線状材たるロープ材14とこのロープ材14をブロック本体１に固定するコンクリート釘15とを備える。
【００２４】
前記ネット本体12は、ポリエチレン等の合成樹脂製の有結節網であって、比重が略0.95と海水の比重（1.026）より軽いものが用いられる。また、ネット本体12を構成する線材16Ａ，16Ｂは400ｄ/36本程度のものを用い、その線材16Ａ，16Ｂを蛙又結びした蛙又網であって、ネット本体12の網目16は縦長の菱形形状をなし、その網目16は一側線材16Ａの長さＬとこれと交差方向の他側線材16Ｂの長さＬとが等しく、長さＬが約２５ｍｍである。また、ロープ材14はポリプロピリンなどの合成樹脂からなる。このように有結節網である蛙又網を用いることにより、海中においては横方向に広がるが、一定の保形性を備える。尚、ｄはデニールを表し、上記以外でも、線材16Ａ，16Ｂは、200ｄ/12本、200ｄ/15本、200ｄ/18本、200ｄ/21本、400ｄ/12本、400ｄ/15本、400ｄ/18本、400ｄ/24本、400ｄ/30本程度のものを用いることができ、このように200ｄ〜400ｄ/12本〜36本に設定することにより、後述する揺動部による良好な効果が得られる。
【００２５】
そして、上下方向が略一定幅のネット本体12の上下方向略中央位置に前記ロープ材14を取り付ける。この場合、ネット本体12に対して、表側から裏側、裏側から表側と、交互に網目16にロープ材14を挿通して取り付ける。また、網目16の縦方向の対角線が横方向の対角線より長くなるようにネット本体12は配置され、網目16はブロック本体１の縦方向に長い菱形である。さらに、ロープ材14の上方において、ネット本体12には、その巻き付け方向に所定間隔を置いて縦方向の分離部17を複数設け、この分離部17はネット本体12を切断して形成することができる。そして、隣り合う分離部17，17の間に揺動部18が形成され、一例として図１に示すように、先端側面６Ａの横幅に略対応した揺動部18と、斜め側面６Ｂの略横幅に対応した揺動部18と、隣り合う脚側面６，６の横幅に略対応した揺動部18とが形成されるように前記分離部17が設けられている。また、ネット本体12の上下寸法は略４００〜１０００ｍｍ、好ましくは略５００〜７００ｍｍ程度であり、こうするとロープ材14の上側の幅が略２００〜５００ｍｍ、好ましくは略２５０〜３５０ｍｍ程度となるから、揺動し易く、且つ必要な保形性も得られる。
【００２６】
次に、前記防護ネット11の取付方法について説明すると、図１及び図４に示すように、ブロック本体１の側面にネット本体12を巻き付けると共に、ロープ材14を側面６，６Ａ，６Ｂの高さ方向中央に配置し、予め側面６，６Ａ，６Ｂには穿孔手段たるハンマードリルにより釘用の孔21を穿設しておく。そして、ロープ材14にコンクリート釘15を刺し、そのコンクリート釘15を孔21に挿入し、必要に応じて接着剤で固定する。この場合、釘15を略等間隔に配置し、その間隔は50cm程度である。尚、ネット本体12の横方向端縁は、両側の端縁を部分的に重ね合わせるようにしてブロック本体１に巻き付けることが好ましい。
【００２７】
このようにして防護ネット11を側面に取り付けた海藻用ブロックを海底に設置すると、海藻用マット８において海藻Ｋが生育する。そして、海底において、揺動部18が揺れ動くことにより、揺動部18にはウニなどの海底生物が付着せず、上面７の海藻Ｋが被害を受けることがない。この場合、ネット本体12は海水より比重が軽いから揺動し易い。また、防護ネット11は網目16が縦長をなすから、取付状態でネット本体12の上下が左右方向に広がり、ネット本体12の下縁12Ｓとブロック本体１の側面との隙間が発生し、図４に示すように、ネット本体12が上下で略く状となる。これによりネット本体12の下部側も潮の流れにより揺動し、また、前記隙間から側面を伝わって海底生物が登ってきても、上部はロープ材14により塞がれているため、登ることできない。
【００２８】
このように本実施例では、請求項１に対応して、ブロック本体１と、このブロック本体１の外面に設ける防護ネット11とを備えた海藻用ブロックであって、ブロック本体１の側面６，６Ａ，６Ｂに防護ネット11の柔軟性を有するネット本体12を巻き付け、このネット本体12の上部には縦方向の分離部17を巻き付け方向に間隔を置いて複数設けると共に、隣り合う分離部17，17間に揺動部18を設けたから、海中で揺動部18が揺動することにより、ウニなどの海底生物が揺動部18に近付かず、ブロック本体１に付着する揺動部18上方の海藻Ｋが海底生物に食べられて被害を受けることを防止できる。また、ネット本体12を加工してブロック本体１に取り付けるだけであるから、構造簡易にして安価なものとなる。
【００２９】
このように本実施例では、請求項２に対応して、ネット本体12の高さ方向の略中央をブロック本体１の側面６，６Ａ，６Ｂに取り付け、ネット本体12の下縁12Ｓをブロック本体１に非固定状態で配置したから、ネット本体12の下縁12Ｓ側もブロック本体１の側面６，６Ａ，６Ｂから離れて揺動するから、一層、海底生物が近付き難くなる。
【００３０】
このように本実施例では、請求項３に対応して、ネット本体12の高さ方向の略中央にロープ材14を設け、このロープ材14をブロック本体１に固定してネット本体12を取り付けたから、ロープ材14によりネット本体12を簡便に取り付けることができ、ロープ材14によりネット本体12の高さ方向の略中央をブロック本体１に固定することにより、上縁及び下縁12Ｓがそれぞれ非固定状態でネット本体12を固定することができる。また、仮にネット本体12の下縁12Ｓとブロック本体１の側面６，６Ａ，６Ｂとの間を海底生物が登ってきても、ロープ材14により上方への移動が規制される。
【００３１】
このように本実施例では、請求項４に対応して、ネット本体12は比重が海水より軽い合成樹脂からなり、ネット本体12の網目16は、高さ方向に長い略菱形形状をなすから、海水より比重が軽いから揺動し易く、ネット本体12が横方向に多少広がるため、揺動部18の間に隙間が発生し難く、また、ネット本体12の下縁12Ｓとブロック本体１の側面６，６Ａ，６Ｂとの間に隙間が発生し易くなる。
このように本実施例では、請求項５に対応して、ネット本体12と、このネット本体12を固定する固定手段13とを備え、海底生物から海藻を護る防護ネット11であって、ネット本体12の上部には縦方向の分離部17を間隔を置いて複数設けると共に、隣り合う分離部17，17間に揺動部18を設けたから、海中で揺動部18が揺動することにより、ウニなどの海底生物が揺動部18に近付かず、揺動部18上方の海藻Ｋが海底生物に食べられて被害を受けることを防止できる。また、ネット本体12を加工するだけであるから、構造簡易にして安価なものとなる。
【００３２】
また、実施例上の効果として、先端側面６Ａの横幅に略対応した分離部17と、斜め側面６Ｂの略横幅に対応した揺動部18と、隣り合う脚側面６，６の横幅に略対応した揺動部18とが形成されているから、揺動部18が角部に位置せず、揺動し易いものとなる。また、ネット本体12は、有結節網、特に線材16Ａ，16Ｂを蛙又結びした蛙又網であるから、海中においては横方向に広がるが、一定の保形性を備える。さらに、ネット本体12を固定するロープ材14を、コンクリート釘15により、ブロック本体１の側面に簡便に取り付けることができる。また、防護ネット11は、略一定幅のネット本体12を二つ折りし、その二つ折りした箇所にロープ材14を取り付けることにより、簡便に製造することができる。さらに、ネット本体12に、例えば流れてきた海藻の根などが付着し、海藻を育成することもできる。
【００３３】
尚、本発明は、本実施例に限定されるものではなく、本発明の要旨の範囲内で種々の変形実施が可能である。例えば、ブロック本体は実施例の略十字型のものに限らず、各種のブロックに適用可能である。また、線状材はロープ材に限らず帯状のものなどでもよい。さらに、実施例では、側面は、底面に対して略垂直であったが、斜めでもよい。さらに、ブロック本体の全周の防護ネットを設けたが、部分的に設けてもよい。
【符号の説明】
【００３４】
１  ブロック本体
６  脚側面
６Ａ  先端側面
６Ｂ  斜め側面
11  防護ネット
12  ネット本体
12Ｓ  下縁
13  固定手段
14  ロープ材（線状材）
15  コンクリート釘
16  網目
17  分離部
18  揺動部
【図１】
0005435021.tif 000002
【図２】
0005435021.tif 000003
【図３】
0005435021.tif 000004
【図４】
0005435021.tif 000005
【図５】
0005435021.tif 000006